(57)【要約】  電気コネクタは、第１のプリント回路基板（ＰＣＢ）と、第２のＰＣＢと、第３のＰＣＢとの間の電気的接続を提供する。コネクタは間隔を置いた実質的に平行な、第１の嵌合スロット、第２の嵌合スロット、及び第３の嵌合スロットを画定し、複数の第１端子対及び複数の第２端子対を含む。第１端子対の各々に対して、第１端子は互いに電気的に接続され、第１端子のうちの一方は第１の嵌合スロット内に配置され、第１端子のうちの他方は第３の嵌合スロット内に配置される。第２端子対の各々に対して、第２端子は互いに電気的に絶縁され、第２端子のうちの一方は第２の嵌合スロット内に配置され、第２端子のうちの他方は第３の嵌合スロット内に配置される。第１のＰＣＢ、第２のＰＣＢ、及び第３のＰＣＢが、対応する第１の嵌合スロット、第２の嵌合スロット、及び第３の嵌合スロット内に受け入れられるとき、第１端子対の各々は第１のＰＣＢ及び第３のＰＣＢの対応するトレースを電気的に接続させ、第２端子対の各々は第２のＰＣＢ及び第３のＰＣＢの対応するトレースを電気的に接続させる。
2019515475.tif 000002
【特許請求の範囲】
【請求項１】
第１のプリント回路基板（ＰＣＢ）と、第２のＰＣＢと、第３のＰＣＢとの間の電気的接続を提供するための電気コネクタであって、前記コネクタは間隔を置いた実質的に平行な、第１の嵌合スロット、第２の嵌合スロット、及び第３の嵌合スロットを画定し、前記コネクタは、
複数の第１端子対であって、前記第１端子対の各々に対して、
前記第１端子は互いに電気的に接続され、
前記第１端子のうちの一方は前記第１の嵌合スロット内に配置され、
前記第１端子のうちの他方は前記第３の嵌合スロット内に配置される、複数の第１端子対と、
複数の第２端子対であって、前記第２端子対の各々に対して、
前記第２端子は互いに電気的に絶縁され、
前記第２端子のうちの一方は前記第２の嵌合スロット内に配置され、
前記第２端子のうちの他方は前記第３の嵌合スロット内に配置される、複数の第２端子対と、を備え、
それにより、前記第１のＰＣＢ、第２のＰＣＢ、及び第３のＰＣＢが、対応する前記第１の嵌合スロット、第２の嵌合スロット、及び第３の嵌合スロット内に受け入れられるとき、
前記第１端子対の各々は前記第１のＰＣＢ及び前記第３のＰＣＢの対応するトレースを電気的に接続させ、
前記第２端子対の各々は前記第２のＰＣＢ及び前記第３のＰＣＢの対応するトレースを電気的に接続させる、
電気コネクタ。
【請求項２】
前記第２端子対の各々は、前記第２のＰＣＢ及び第３のＰＣＢが前記対内の前記第２端子を屈曲させて物理的かつ電気的に互いに接触させることにより、前記第２のＰＣＢ及び第３のＰＣＢの対応するトレースを電気的に接続させる、請求項１に記載の電気コネクタ。
【請求項３】
前記第１端子対の各々は、電気的導電性トレース（６１０）が前記第１端子対の間に延び、前記第１端子対を電気的に接続させることにより、前記第１のＰＣＢ及び第３のＰＣＢの対応するトレースを電気的に接続させる、請求項１に記載の電気コネクタ。
【請求項４】
前記第１端子対が互いに一体的に連結されることにより、前記第１端子対の各々が前記第１のＰＣＢ及び第３のＰＣＢの対応するトレースを電気的に接続させる、請求項１に記載の電気コネクタ。
【請求項５】
複数の導電性トレースを備えるブリッジ回路基板を更に備え、前記導電性トレースの各々は、別々の第１端子対に対応し、別々の第１端子対を電気的に相互接続させる、請求項１に記載の電気コネクタ。
【請求項６】
前記第２端子の各々は、複数の前記第２端子対内の他の全ての第２端子、及び複数の前記第１端子対内の全ての第１端子から電気的に絶縁されている、請求項１に記載の電気コネクタ。
【請求項７】
第１の嵌合スロット及び第２の嵌合スロットを画定する電気コネクタであって、
前記第１の嵌合スロットを前記第２の嵌合スロットから分離する壁と、
前記壁の第１の側面上に配置され、前記第１の嵌合スロットと連通する、間隔を置いた可撓性の第１端子の列と、
前記壁の反対側の第２の側面上に配置され、前記第２の嵌合スロットと連通する、間隔を置いた可撓性の第２端子の列と、を備え、
可撓性の第１端子の各々が可撓性の第２端子に対応し、それにより対応する第１端子及び第２端子が、前記壁内に画定された開口部を通して、互いに向かって弾性的に屈曲し互いに接触することができる、電気コネクタ。
【請求項８】
第１のプリント回路基板（ＰＣＢ）及び第２のＰＣＢが、対応する前記第１の嵌合スロット及び第２の嵌合スロット内に受け入れられるとき、前記第１のＰＣＢ及び第２のＰＣＢは対応する第１端子及び第２端子の各々を屈曲させて互いに物理的かつ電気的に接触させ、それにより接触する前記第１端子及び第２端子が前記第１のＰＣＢ及び第２のＰＣＢの対応するトレースを電気的に接続させる、請求項７に記載の電気コネクタ。
【請求項９】
第１のプリント回路基板（ＰＣＢ）と第２のＰＣＢとの間の電気的接続を提供する電気コネクタであって、前記コネクタは第１嵌合スロット及び第２の嵌合スロットを画定し、
前記第１の嵌合スロットを前記第２の嵌合スロットから分離する少なくとも１つの壁と、
少なくとも１つの前記壁の、第１の側面上に配置され、前記第１の嵌合スロットと連通する、間隔を置いた可撓性の第１端子の列と、
少なくとも１つの前記壁の、反対側の第２の側面上に配置され、前記第２の嵌合スロットと連通する、間隔を置いた可撓性の第２端子の列と、を備え、
可撓性の第２端子の各々が別々の可撓性の第１端子に対応し、
それにより前記第１のＰＣＢ及び第２のＰＣＢが、対応する前記第１の嵌合スロット及び第２の嵌合スロット内に受け入れられるとき、対応する第１端子及び第２端子が前記第１のＰＣＢ及び第２のＰＣＢの対応するトレースを電気的に接続させる、電気コネクタ。
【請求項１０】
複数の導電性トレースを備えるブリッジ回路基板を更に備え、導電性トレースの各々は対応する第１端子及び第２端子に対応し、対応する第１端子及び第２端子を電気的に相互接続させる、請求項９に記載の電気コネクタ。
【発明の詳細な説明】
【技術分野】
【０００１】
本出願は、電気コネクタ及び電気コネクタアセンブリに関する。
【背景技術】
【０００２】
電気コネクタは、典型的には電気的端子を支持する及び／又は部分的に囲む機械的なハウジングを含む電気機械的デバイスである。電気コネクタは２つの電子デバイスを電気的に相互接続させるために頻繁に使われる。いくつかの電気コネクタは、電子デバイスのシャーシ内に配置された２つ以上のプリント回路基板（ＰＣＢ）上に配置された導電性トレース間の電気的相互接続を提供する。
【発明の概要】
【０００３】
いくつかの実施形態は、第１のプリント回路基板（ＰＣＢ）と、第２のＰＣＢと、第３のＰＣＢとの間の電気的接続を提供するための電気コネクタに関連する。コネクタは間隔を置いた実質的に平行な、第１の嵌合スロット、第２の嵌合スロット、及び第３の嵌合スロットを画定する。コネクタは複数の第１端子対を含む。第１端子対の各々に対して、第１端子は互いに電気的に接続され、第１端子のうちの一方は第１の嵌合スロット内に配置され、第１端子のうちの他方は第３の嵌合スロット内に配置される。コネクタは複数の第２端子対を含む。第２端子対の各々に対して、第２端子は互いに電気的に絶縁され、第２端子のうちの一方は第２の嵌合スロット内に配置され、第２端子のうちの他方は第３の嵌合スロット内に配置される。第１のＰＣＢ、第２のＰＣＢ、及び第３のＰＣＢが、対応する第１の嵌合スロット、第２の嵌合スロット、及び第３の嵌合スロット内に受け入れられるとき、第１端子対の各々は第１のＰＣＢ及び第３のＰＣＢの対応するトレースを電気的に接続させ、第２端子対の各々は第２のＰＣＢ及び第３のＰＣＢの対応するトレースを電気的に接続させる。
【０００４】
いくつかの実施形態によると、電気コネクタは、第１の嵌合スロットを第２の嵌合スロットから分離する壁によって、第１の嵌合スロット及び第２の嵌合スロットを画定する。間隔を置いた可撓性の第１端子の列が、壁の第１の側面上に配置され第１の嵌合スロットと連通する。間隔を置いた可撓性の第２端子の列が、壁の反対側の第２の側面上に配置され第２の嵌合スロットと連通する。可撓性の第１端子の各々が可撓性の第２端子に対応し、それにより対応する第１端子及び第２端子が、壁内に画定された開口部を通して、互いに向かって弾性的に屈曲し互いに接触することができる。
【０００５】
いくつかの実施形態では、電気コネクタは第１のプリント回路基板（ＰＣＢ）と第２のＰＣＢとの間の電気的接続を提供する。コネクタは、第１の嵌合スロットを第２の嵌合スロットから分離する少なくとも１つの壁によって、第１の嵌合スロット及び第２の嵌合スロットを画定する。間隔を置いた可撓性の第１端子の列が、少なくとも１つの壁の第１の側面上に配置され、第１の嵌合スロットと連通する。間隔を置いた可撓性の第２端子の列が、少なくとも１つの壁の反対側の第２の側面上に配置され、第２の嵌合スロットと連通する。可撓性の第２端子の各々が、別々の可撓性の第１端子に対応し、電気的に接続する。第１のＰＣＢ及び第２のＰＣＢが、対応する第１の嵌合スロット及び第２の嵌合スロット内に受け入れられるとき、対応する第１端子及び第２端子が第１のＰＣＢ及び第２のＰＣＢの対応するトレースを電気的に接続させる。
【０００６】
本出願の上記及び他の態様は、以下の詳細な説明から明らかになるであろう。しかしながら、上記概要は、いかなる場合も請求の主題の限定として解釈されるべきではなく、そのような主題は、添付の特許請求の範囲によってのみ規定される。
【図面の簡単な説明】
【０００７】
【図１】いくつかの実施形態による電気コネクタを示す図である。
【図２Ａ】図１の電気コネクタに挿入可能なプリント回路基板を示す図である。
【図２Ｂ】図１の電気コネクタに挿入可能なプリント回路基板を示す図である。
【図３】図１の電気コネクタの斜視図である。
【図４Ａ】コネクタの端子を電気的に接続させる電気トレースを有する電気コネクタを示す図である。
【図４Ｂ】図４Ａの電気コネクタを備える電気コネクタアセンブリを示す図であり、いくつかの実施形態に従って嵌合スロット内にＰＣＢが取り付けられている。
【図４Ｃ】コネクタの端子を電気的に接続させるＣ字型部を有する電気コネクタを示す図である。
【図５Ａ】いくつかの実施形態による電気コネクタを示す図である。
【図５Ｂ】図５Ａの電気コネクタを備える電気コネクタアセンブリを示す図であり、いくつかの実施形態に従って嵌合スロット内にＰＣＢが取り付けられている。
【図６Ａ】いくつかの実施形態による電気コネクタを示す図である。
【図６Ｂ】図６Ａの電気コネクタを備える電気コネクタアセンブリを示す図であり、いくつかの実施形態に従って嵌合スロット内にＰＣＢが取り付けられている。
【０００８】
これらの図は、必ずしも縮尺通りではない。図面で使用されている同様の番号は同様の構成要素を示す。しかし、特定の図中のある構成要素を示す数字の使用は、同じ数字を付した別の図中の構成要素を限定することを意図するものではないことが理解されよう。
【発明を実施するための形態】
【０００９】
本明細書に開示される実施形態は、２つ以上のプリント回路基板（ＰＣＢ）を電気的に相互接続させるのに有用な電気コネクタを対象とする。ソリッドステートドライブ（ＳＳＤ）ハウジング内に配置されたＳＳＤのＰＣＢなどの、２つ以上のＰＣＢがハウジング又はシャーシ内に配置されてもよい。電子デバイスのハウジング内で相互接続される電気コネクタは、サイズ及び／又は位置に関する厳しい要件を有する場合がある。例えば、ＳＳＤドライブにおけるように、ＰＣＢはハウジング内に収まるように積層構成で配置され得る。このシナリオでは、積層されたＰＣＢは、屈曲してＰＣＢの積層を可能とする可撓性ケーブル又は可撓性ＰＣＢを用いて接続されてもよい。いくつかのシナリオにおいて、ＰＣＢはハウジング内の特定の位置、例えば、接続性の選択肢に影響を与えるシャーシの壁の近傍に配置される必要があり得る。ＰＣＢを相互接続させるために可撓性ケーブルを使用することは、ＰＣＢスタックに接続される各ＰＣＢに対して可撓性のケーブル及び／又はコネクタを伴うので、比較的高価になる場合がある。更に、可撓性ケーブルの曲げ半径の仕様は、厳しく制限されるシャーシ内での空間又は信頼性に関して考慮すべき問題を提示し得る。加えて、ハウジング内で、可撓性ケーブルによって相互接続されたＰＣＢを取り外し及び挿入することはユーザにとって難題であり得る。従って、いくつかの用途において、可撓性ケーブルが、ＰＣＢを相互接続させるための空間、価格、信頼性、及び／又は使い易さに関する厳しい仕様を満足することが困難な場合がある。
【００１０】
本明細書にて開示される電気コネクタは、シャーシ又はハウジング内で積み重ねた向きで配置されたＰＣＢを相互接続させるための、簡潔で費用効率の高い解決策を提供する。ここで図１を参照すると、電気コネクタ１００は、第１のプリント回路基板（ＰＣＢ）２１０と、第２のＰＣＢ  ２２０と、第３のＰＣＢ  ２３０との間の電気的接続を提供する。図１に示すコネクタ１００は、それぞれがＰＣＢ  ２１０、２２０、及び２３０を受け入れるように構成されている、間隔を置いた実質的に平行な、第１の嵌合スロット３００、第２の嵌合スロット３１０、及び第３の嵌合スロット３２０を含む。ここでは、３つの嵌合スロットを有するコネクタ１００が、例示的実施形態として使用されていることが理解されよう。本明細書に記載の実施形態によって示される手法を、より多くの又はより少ない嵌合スロットを有するコネクタに拡張することが可能である。
【００１１】
図２Ａ及び図２Ｂは、いくつかの実施形態によるＰＣＢ  ２１０〜２３０の斜視図を示す。図２Ａ及び図２Ｂに示すように、ＰＣＢはＰＣＢの主表面の片方又は両方に電気トレースを含み得る。第１のＰＣＢ  ２１０はＰＣＢ  ２１０の下部表面上にトレース２１２を含む。第２のＰＣＢ  ２２０はＰＣＢ  ２２０の下部表面上にトレース２２２を含む。この例では、第３のＰＣＢ  ２３０は第３のＰＣＢ  ２３０の両方の主表面上にトレース２３２、２３４を含む。この例では、トレース２３４は第２のＰＣＢ  ２２０のトレース２２２に面する。
【００１２】
図３の斜視図、及び図４Ａに示すように、コネクタ１００は第１端子４１０、４２０の１つ以上の第１の対４００、及び第２端子５１０、５２０の１つ以上の第２の対５００を含む。例えば、コネクタ１００は、図３に最もよく示されるように、ｙ軸に沿って延びる、第１端子４１０、４２０の複数の第１の対４００、及び第２端子５１０、５２０の複数の第２の対５００を含み得る。第１端子対４００の各々に対して、第１の対４００の第１端子４１０のうちの一方が、第１の嵌合スロット３００内に配置され、第１の対４００の第１端子４２０のうちの他方が第３の嵌合スロット３２０内に配置される。第２端子対５００の各々に対して、第２の対５００の第２端子５１０のうちの一方が、第２の嵌合スロット３１０内に配置され、第２の対５００の第２端子５２０のうちの他方が第３の嵌合スロット３２０内に配置される。第１の対４００の各々の第１端子４１０、４２０は導体によって、例えば図４Ａに示す導電性トレース６１０、又は図４Ｃに示すＣ字型部６２０によって、互いに電気的に接続される。回路基板２２０、２３０が嵌合スロット３１０、３２０内に挿入されていないとき、対５００の各々の第２端子５１０、５２０は互いに電気的に絶縁されている。第２端子５１０、５２０の各々は、第２端子５１０、５２０の複数の対５００内の他の全ての第２端子５１０、５２０、及び第１端子４１０、４２０の複数の対４００内の全ての第１端子４１０、４２０から電気的に絶縁されていてもよい。
【００１３】
図４Ａに最もよく示されるように、第１の壁７００が第１の嵌合スロット３００を第２の嵌合スロット３１０から分離する。第２の壁７１０が第２の嵌合スロット３１０を第３の嵌合スロット３２０から分離する。第１の壁７００の第１の側面７０２は第１の嵌合スロット３００に露出する。第１の壁７００の反対側の第２の側面７０４は第２の壁７１０の第１の側面７１２に面する。第１の壁の第２の側面７０４、及び第２の壁７１０の第１の側面７１２は第２の嵌合スロット３１０に露出する。第２の壁７１０の反対側の第２の側面７１４は、第３の嵌合スロット３２０に露出する。端子対４００の、間隔を置いた可撓性端子４１０の列は、第１の壁７００の第１の側面７０２上に配置され第１の嵌合スロット３００と連通する。端子対４００の、間隔を置いた可撓性端子４２０の列は、第２の壁の第２の側面７１４に面し、第３の嵌合スロット３２０と連通する。
【００１４】
コネクタ１００は嵌合端１００ａ及び非嵌合端１００ｂを含み、嵌合スロット３００、３１０、３２０の開口部はコネクタ１００の嵌合端１００ａに配置される。いくつかの実施形態では、コネクタ１００は、端子４１０と４２０との間の非嵌合端１０１ｂに配置されたブリッジ回路基板６００を含む。ブリッジ回路基板６００は第１端子４１０と４２０との間に延びる１つ以上の導電性トレース６１０を含む。導電性トレース６１０の各々は、第１端子４１０、４２０の別々の対４００に対応し、第１端子４１０、４２０の別々の対４００を電気的に相互接続させる。第１端子４１０、４２０の対４００の各々は、図４Ａに示すブリッジ回路基板６００上の、対応する電気的導電性トレース６１０によって、第１のＰＣＢ  ２１０及び第３のＰＣＢ  ２３０の対応するトレースを電気的に接続させる。いくつかの実現形態では、コネクタ１００は複数の導体６１０を含み、導体６１０の各々は第１端子４１０、４２０の別々の対４００に対応し、別々の対４００を電気的に相互接続させる。
【００１５】
いくつかの実施形態では、第１端子４１０、４２０の対４００の各々は、図４Ｃに示すように、Ｃ字型連結部６２０によって、第１のＰＣＢ  ２１０及び第３のＰＣＢ  ２３０の対応するトレースを電気的に接続させる。図４Ｃに示すように、コネクタ１０１は、端子４１０と４２０との間の非嵌合端１０１ｂに配置された１つ以上のＣ字型連結部６２０を含む。Ｃ字型連結６２０部は第１端子４１０と４２０との間に延びている。Ｃ字型連結部６２０の各々は、第１端子４１０、４２０の別々の対４００に対応し、別々の対４００を電気的に相互接続させる。第１端子４１０、４２０の対４００の各々は、対応する電気的導電性のＣ字型連結部６２０によって、第１のＰＣＢ  ２１０及び第３のＰＣＢ  ２３０の対応するトレースを電気的に接続させる。いくつかの実現形態では、コネクタ１０１は複数のＣ字型連結部６２０を含んでもよく、連結部６２０の各々は第１端子４１０、４２０の別々の対４００に対応し、別々の対４００を電気的に相互接続させる。
【００１６】
いくつかの実施形態では、第１端子４１０、４２０の対は互いに一体的に連結されている。端子４１０、４２０の１つ以上の対４００はＣ字型連結部６２０によって互いに一体的に連結されてもよい。例えばいくつかの実施形態では、１つ以上の対４００の第１端子４１０、４２０と、連結部６２０とは単一の一体的ピースを形成する。
【００１７】
図４Ａ〜図４Ｃに示すように、第１端子４１０、４２０の各々は、第１の嵌合スロット３００又は第３の嵌合スロット３２０内に配置された接触部４１２を含み得る。接触部４１２は、第１の嵌合スロット３００又は第３の嵌合スロット３２０内に受け入れたＰＣＢのトレースと接触するように構成されている。第１端子４１０、４２０の各々は、接触部４１２の片側上にあり、電気コネクタの電気的導電性トレース６１０又は連結部６２０に接続した後方末端部４１４を含み得る。第１端子４１０、４２０の各々は接触部４１２の反対側の側面上の前方端部４１６を含み得る。この構成において、接触部４１２は、後方末端部４１４と前方端部４１６との間に配置される。
【００１８】
図４Ａ〜図４Ｃに示すように、いくつかの実施形態によると、第２端子５１０、５２０の各々は、第２の嵌合スロット３１０又は第３の嵌合スロット３２０内に受け入れたＰＣＢのトレースと接触するために、第２の嵌合スロット３１０又は第３の嵌合スロット３２０内に配置された接触部５１２を含み得る。第２端子５１０、５２０の各々は、接触部５１２の一方の側面上に後方末端部５１４を、及び接触部５１２の反対側の側面上に配置された前方端部５１６を含み得る。いくつかの実施形態では、第２端子５１０、５２０の後方末端部５１４はコネクタ１００、１０１の表面５１４ａ上に置かれている。
【００１９】
いくつかの実施形態によると、コネクタ１００、１０１は第２の嵌合スロットを第３の嵌合スロット３２０から分離する壁７１０を含む。第２の可撓性端子５１０の列は間隔を置いており、壁７００の第１の側面７１２上に配置され嵌合スロット３１０と連通する。第２の可撓性端子５２０の列は間隔を置いており、壁７００の反対側の第２の側面７１４上に配置され第３の嵌合スロット３２０と連通する。端子対５００内の各可撓性端子５１０は、端子対５００内の可撓性端子５２０に対応し、それにより対応する端子５１０、５２０が、壁７００内に画定された開口部７１６を通して、互いに向かって弾性的に屈曲し互いに接触し得る。
【００２０】
図４Ｂはコネクタ１００及び１つ以上のＰＣＢ  ２００を備えるコネクタアセンブリ１０００を示す。コネクタアセンブリ１０００は、電気コネクタ１００、及び少なくとも１つの嵌合スロット３００、３１０、３２０内に挿入された少なくとも１つのＰＣＢ  ２１０、２２０、２３０を含む。図４Ｂは対応するコネクタ１００の第１の嵌合スロット３００、第２の嵌合スロット３１０、及び第３の嵌合スロット３２０内に挿入された第１のＰＣＢ  ２１０、第２のＰＣＢ  ２２０、及び第３のＰＣＢ  ２３０を示す。第１端子４１０、４２０の対４００の各々は、第１のＰＣＢ  ２１０及び第３のＰＣＢ  ２３０の対応するトレースを電気的に接続させる。第２端子対５００の各々は、第２のＰＣＢ  ２２０及び第３のＰＣＢ  ２３０の対応するトレースを電気的に接続させる。
【００２１】
図４Ｂは、回路基板２２０及び２３０が嵌合スロット３１０、３２０内に取り付けられたときに、屈曲して触れ電気的に接続した端子５１０、５３０を示す。図示したように、第２端子５１０、５２０の対５００の各々は、第２のＰＣＢ及び第３のＰＣＢが対５００内の第２端子５１０、５２０を屈曲させ、それにより第２端子５１０、５２０の対５００の前方端部５１６が物理的かつ電気的に互いに接触することにより、第２のＰＣＢ  ２２０及び第３のＰＣＢ  ２３０の対応するトレースを電気的に接続させる。第１のＰＣＢ  ２１０、第２のＰＣＢ  ２２０、及び第３のＰＣＢ  ２３０が、対応する第１の嵌合スロット３００、第２の嵌合スロット３１０、及び第３の嵌合スロット３２０内に配置されているとき、第１端子４１０、４２０の対４００の各々は、導電性トレース６１０によって、第１のＰＣＢ  ２１０及び第３のＰＣＢ  ２３０の対応するトレース２１２、２３２を電気的に接続させる。第２端子５１０、５２０の対５００の各々は、第２のＰＣＢ  ２２０及び第３のＰＣＢ  ２３０の対応するトレース２２２、２３４を電気的に接続させる。図４Ｂに示すようにコネクタが向いているとき、第２のＰＣＢ  ２２０の第２のスロット３１０内への挿入は、第２端子５１０を−ｚ軸に沿って下方に屈曲させる。第３のＰＣＢ  ２３０の第３のスロット３２０内への挿入は、第２端子５２０を＋ｚ軸に沿って上方に屈曲させる。端子５１０、５２０の第２の対５００は、端子５１０、５２０の屈曲によって、端子５１０、５２０の接触部５１６の物理的かつ電気的接触を生じさせるように構成されている。第２端子５１０、５２０の第２の対５００の各々は、第２のＰＣＢ  ２２０及び第３のＰＣＢ  ２３０が、対５００内の第２端子５１０、５２０を屈曲させて物理的かつ電気的に互いに接触させることにより、第２のＰＣＢ  ２２０及び第３のＰＣＢ  ２３０の対応するトレースを電気的に接続させる。
【００２２】
図５Ａはいくつかの実施形態による電気コネクタ９００を示す。電気コネクタ９００は、第１の嵌合スロット９０１を第２の嵌合スロット９０２から分離する壁９１０によって、第１の嵌合スロット９０１及び第２の嵌合スロット９０２を画定する。間隔を置いた可撓性の第１端子９２１の列が、壁９１０の第１の側面９１１上に配置され第１の嵌合スロット９０１と連通する。間隔を置いた可撓性の第２端子９２２の列が、壁９１０の反対側にある第２の側面９１２上に配置され第２の嵌合スロット９０２と連通する。可撓性の第１端子９２１の各々が可撓性の第２端子９２２に対応し、それにより対応する第１端子９２１及び第２端子９２２が、壁９１０内に画定された開口部９１６を通して、互いに向かって弾性的に屈曲し互いに接触することができる。第１端子９２１及び第２端子９２２の各々は電気コネクタ９００内で電気的に絶縁されてもよい。いくつかの実現形態では、第１端子９２１の各々は、他の全ての第１端子９２１及び全ての第２端子９２２から電気的に絶縁される。いくつかの実現形態では、第２端子９２２の各々は、他の全ての第２端子９２２及び全ての第１端子９２１から電気的に絶縁されている。
【００２３】
図５Ｂは、コネクタ９００、並びに第１のＰＣＢ  ９３１及び第２のＰＣＢ  ９３２を含むＰＣＢ  ９３０を含む、コネクタアセンブリ１９００を示す。図５Ｂに示すように、第１のＰＣＢ  ９３１及び第２のＰＣＢ  ９３２が対応する第１の嵌合スロット９０１及び第２の嵌合スロット９０２内に受け入れられるとき、第１のＰＣＢ  ９３１及び第２のＰＣＢ  ９３２は対応する第１端子９２１及び第２端子９２２の各々を屈曲させ、端子９２１、９２２を物理的かつ電気的に互いに接触させる。接触する第１端子９２１及び第２端子９２２は第１のＰＣＢ  ９３１及び第２のＰＣＢ  ９３２の対応するトレースを電気的に接続させる。
【００２４】
図６Ａはいくつかの実施形態による電気コネクタ９５０を示す。電気コネクタ９５０は（図６Ｂに示す）第１のプリント回路基板９８１及び第２のプリント回路基板９８２の間の電気的接続をもたらす。コネクタ９５０は、プリント回路基板９８１、９８２を受け入れるように構成された第１の嵌合スロット９５１及び第２の嵌合スロット９５２を画定する。本明細書に記載のコネクタは、嵌合スロットを分離する少なくとも１つの壁を含む。例えば、図６Ａはコネクタ９５０を示し、壁９６０が第１の嵌合スロット９５１を第２の嵌合スロット９５２から分離する。間隔を置いた可撓性の第１端子９７１の列が、壁９６０の第１の側面９６１上に配置され第１の嵌合スロット９５１と連通する。間隔を置いた可撓性の第２端子９７２の列が、壁９６０の反対側の第２の側面９６２上の位置に配置され第２の嵌合スロット９５２と連通する。
【００２５】
可撓性の第２端子９７２の各々は、別々の可撓性の第１端子９７１に対応し、電気的に接続されている。図６Ｂに示す第１のＰＣＢ  ９８１及び第２のＰＣＢ  ９８２が、対応する第１の嵌合スロット９５１及び第２の嵌合スロット９５２内に受け入れられるとき、対応する第１端子９７１及び第２端子９７２は第１のＰＣＢ  ９８１及び第２のＰＣＢ  ９８２の対応するトレースを電気的に接続させる。例えば、いくつかの実施形態では、第１のＰＣＢ  ９８１及び第２のＰＣＢ  ９８２が対応する第１の嵌合スロット９５１及び第２の嵌合スロット９５２内に受け入れられるとき、対応する第１端子９７１及び第２端子９７２が、対応する第１端子９７１と第２端子９７２との間に延び、第１端子９７１と第２端子９７２とを電気的に接続させる電気的導電性トレース８１０によって、第１のＰＣＢ  ９８１及び第２のＰＣＢ  ９８２の対応するトレースを電気的に接続させる。電気コネクタ９５０は複数の導電性トレース８１０を含むブリッジ回路基板８１１を備えてもよく、各導電性トレース８１０は第１端子９７１及び第２端子９７２に対応し電気的に相互接続させる。
【００２６】
いくつかの実施形態では、第１のＰＣＢ  ９３１及び第２のＰＣＢ  ９３２が対応する第１の嵌合スロット９５１及び第２の嵌合スロット９５２内に受け入れられるとき、図４Ｃに関連して前述したように、対応する第１端子９７１と第２端子９７２との間に延び、第１端子９７１と第２端子９７２とを電気的に接続させるＣ字型連結部によって、対応する第１端子９７１及び第２端子９７２は、第１のＰＣＢ  ９３１及び第２のＰＣＢ  ９３２の対応するトレースを電気的に接続させる。
【００２７】
図６Ｂは、電気コネクタ９００と、コネクタ９５０の対応する第１の嵌合スロット９５１及び第２の嵌合スロット９５２内に挿入された第１のＰＣＢ  ９８１及び第２のＰＣＢ  ９３２を含むＰＣＢ  ９８０と、を備えるコネクタアセンブリ１９５０を示す。対応する第１端子９７１及び第２端子９７２は、回路基板８１１上のトレース８１０を通じて、第１のＰＣＢ  ９３１及び第２のＰＣＢ  ９３２の対応するトレースを電気的に接続させる。
【００２８】
本明細書に開示された実施形態は、下記を含む。
実施形態１．第１のプリント回路基板（ＰＣＢ）と、第２のＰＣＢと、第３のＰＣＢとの間の電気的接続を提供するための電気コネクタであって、コネクタは間隔を置いた実質的に平行な、第１の嵌合スロット、第２の嵌合スロット、及び第３の嵌合スロットを画定し、コネクタは、
複数の第１端子対であって、第１端子対の各々に対して、
第１端子は互いに電気的に接続され、
第１端子のうちの一方は第１の嵌合スロット内に配置され、
第１端子のうちの他方は第３の嵌合スロット内に配置される、複数の第１端子対と、
複数の第２端子対であって、第２端子対の各々に対して、
第２端子は互いに電気的に絶縁され、
第２端子のうちの一方は第２の嵌合スロット内に配置され、
第２端子のうちの他方は第３の嵌合スロット内に配置される、複数の第２端子対と、を備え、
それにより、第１のＰＣＢ、第２のＰＣＢ、及び第３のＰＣＢが、対応する第１の嵌合スロット、第２の嵌合スロット、及び第３の嵌合スロット内に受け入れられるとき、
第１端子対の各々は第１及び第３のＰＣＢの対応するトレースを電気的に接続させ、
第２端子対の各々は第２及び第３のＰＣＢの対応するトレースを電気的に接続させる、
電気コネクタ。
【００２９】
実施形態２．第２端子対の各々は、第２のＰＣＢ及び第３のＰＣＢが対内の第２端子を屈曲させて物理的かつ電気的に互いに接触させることにより、第２のＰＣＢ及び第３のＰＣＢの対応するトレースを電気的に接続させる、実施形態１に記載の電気コネクタ。
【００３０】
実施形態３．第１端子対の各々は、電気的導電性トレース（６１０）が第１端子対の間に延び、第１端子対を電気的に接続させることにより、第１のＰＣＢ及び第３のＰＣＢの対応するトレースを電気的に接続させる、実施形態１又は２に記載の電気コネクタ。
【００３１】
実施形態４．第１端子対が互いに一体的に連結されることにより、第１端子対の各々が第１のＰＣＢ及び第３のＰＣＢの対応するトレースを電気的に接続させる、実施形態１〜３のいずれかに記載の電気コネクタ。
【００３２】
実施形態５．第１端子対はＣ字型連結部によって互いに一体的に連結される、実施形態４に記載の電気コネクタ。
【００３３】
実施形態６．複数の導体を更に備え、導体の各々は、別々の第１端子対に対応し、別々の第１端子対を電気的に相互接続させる、実施形態１〜５のいずれかに記載電気コネクタ。
【００３４】
実施形態７．複数の導電性トレースを備えるブリッジ回路基板を更に備え、導電性トレースの各々は、別々の第１端子対に対応し、別々の第１端子対を電気的に相互接続させる、実施形態１〜６のいずれかに記載の電気コネクタ。
【００３５】
実施形態８．第１の壁が第１の嵌合スロットを第２の嵌合スロットから分離し、第２の壁が第２の嵌合スロットを第３の嵌合スロットから分離する、実施形態１〜７のいずれかに記載の電気コネクタ。
【００３６】
実施形態９．第２端子の各々は、複数の第２端子対内の他の全ての第２端子、及び複数の第１端子対内の全ての第１端子から電気的に絶縁されている、実施形態１〜８のいずれかに記載の電気コネクタ。
【００３７】
実施形態１０．第１端子の各々は、
第１の嵌合スロット又は第３の嵌合スロット内に受け入れられるＰＣＢのトレースと接触するために、第１の嵌合スロット又は第３の嵌合スロット内に配置された接触部と、
接触部の一方の側面上にあり電気コネクタの電気的導電性トレースに接続する後方末端部と、
接触部の反対側の側面上の前方端部と、を備える、
実施形態１〜９のいずれかに記載の電気コネクタ。
【００３８】
実施形態１１．第２端子の各々は、
第２の嵌合スロット又は第３の嵌合スロット内に受け入れられるＰＣＢのトレースと接触するために、第２の嵌合スロット又は第３の嵌合スロット内に配置された接触部と、
接触部の一方の側面上の後方末端部と、
接触部の反対側の側面上の前方端部と、を備える、
実施形態１〜１０のいずれかに記載の電気コネクタ。
【００３９】
実施形態１２．第２端子対の各々は、第２のＰＣＢ及び第３のＰＣＢが対内の第２端子を屈曲させ、それにより第２端子対の前方端部が物理的かつ電気的に互いに接触することにより、第２のＰＣＢ及び第３のＰＣＢの対応するトレースを電気的に接続させる、実施形態１１に記載の電気コネクタ。
【００４０】
実施形態１３．第２端子の後方末端部がコネクタ表面に置かれている、実施形態１１に記載の電気コネクタ。
【００４１】
実施形態１４．実施形態１〜１３のいずれか１つに記載の電気コネクタと、
対応する第１の嵌合スロット、第２の嵌合スロット、及び第３の嵌合スロット内に挿入された第１のＰＣＢ、第２のＰＣＢ、及び第３のＰＣＢであって、第１端子対の各々が第１のＰＣＢ及び第３のＰＣＢの対応するトレースを電気的に接続し、第２端子対の各々が第２のＰＣＢ及び第３のＰＣＢの対応するトレースを電気的に接続させる、第１のＰＣＢ、第２のＰＣＢ、及び第３のＰＣＢと、
を備えるコネクタアセンブリ。
【００４２】
実施形態１５．第１の嵌合スロット及び第２の嵌合スロットを画定する電気コネクタであって、
第１の嵌合スロットを第２の嵌合スロットから分離する壁と、
壁の第１の側面上に配置され、第１の嵌合スロットと連通する、間隔を置いた可撓性の第１端子の列と、
壁の反対側の第２の側面上に配置され、第２の嵌合スロットと連通する、間隔を置いた可撓性の第２端子の列と、を備え、
可撓性の第１端子の各々が可撓性の第２端子に対応し、それにより対応する第１端子及び第２端子が、壁内に画定された開口部を通して、互いに向かって弾性的に屈曲し互いに接触することができる、電気コネクタ。
【００４３】
実施形態１６．第１端子の各々は、他の全ての第１端子、及び全ての第２端子から電気的に絶縁されている、実施形態１５に記載の電気コネクタ。
【００４４】
実施形態１７．第２端子の各々は、他の全ての第２端子、及び全ての第１端子から電気的に絶縁されている、実施形態１５又は１６に記載の電気コネクタ。
【００４５】
実施形態１８．第１端子及び第２端子の各々は、電気コネクタ内で電気的に絶縁されている、実施形態１５〜１７のいずれかに記載の電気コネクタ。
【００４６】
実施形態１９．第１のプリント回路基板（ＰＣＢ）及び第２のＰＣＢが、対応する第１の嵌合スロット及び第２の嵌合スロット内に受け入れられるとき、第１のＰＣＢ及び第２のＰＣＢは対応する第１端子及び第２端子の各々を屈曲させて互いに物理的かつ電気的に接触させ、それにより接触する第１端子及び第２端子が第１のＰＣＢ及び第２のＰＣＢの対応するトレースを電気的に接続させる、実施形態１５〜１８のいずれかに記載の電気コネクタ。
【００４７】
実施形態２０．実施形態１５〜１９のいずれかに記載の電気コネクタと、
対応する第１の嵌合スロット及び第２の嵌合スロット内に挿入された第１のプリント回路基板（ＰＣＢ）及び第２のＰＣＢとを備えるコネクタアセンブリであって、
第１のＰＣＢ及び第２のＰＣＢは、対応する第１端子及び第２端子の各々を屈曲させて互いに物理的かつ電気的に接触させ、それにより接触する第１端子及び第２端子が第１のＰＣＢ及び第２のＰＣＢの対応するトレースを電気的に接続させる、コネクタアセンブリ。
【００４８】
実施形態２１．第１のプリント回路基板（ＰＣＢ）と第２ＰＣＢとの間の電気的接続を提供する電気コネクタであって、コネクタは第１の嵌合スロット及び第２の嵌合スロットを画定し、
第１の嵌合スロットを第２の嵌合スロットから分離する少なくとも１つの壁と、
少なくとも１つの壁の、第１の側面上に配置され、第１の嵌合スロットと連通する、間隔を置いた可撓性の第１端子の列と、
少なくとも１つの壁の、反対側の第２の側面上に配置され、第２の嵌合スロットと連通する、間隔を置いた可撓性の第２端子の列と、を備え、
可撓性の第２端子の各々が別々の可撓性の第１端子に対応し、
それにより第１のＰＣＢ及び第２のＰＣＢが、対応する第１の嵌合スロット及び第２の嵌合スロット内に受け入れられるとき、対応する第１端子及び第２端子が第１のＰＣＢ及び第２のＰＣＢの対応するトレースを電気的に接続させる、電気コネクタ。
【００４９】
実施形態２２．第１のＰＣＢ及び第２のＰＣＢが対応する第１の嵌合スロット及び第２の嵌合スロット内に受け入れられるとき、対応する第１端子と第２端子との間に延び、第１端子及び第２端子を電気的に接続させる電気的導電性トレース（６１０）によって、対応する第１端子及び第２端子が第１のＰＣＢ及び第２のＰＣＢの対応するトレースを電気的に接続させる、請求項２１に記載の電気コネクタ。
【００５０】
実施形態２３．第１のＰＣＢ及び第２のＰＣＢが対応する第１の嵌合スロット及び第２の嵌合スロット内に受け入れられるとき、第１のＰＣＢ及び第２のＰＣＢが対応する第１端子及び第２端子を互いに向かって屈曲させて互いを物理的かつ電気的に接触させることにより、対応する第１端子及び第２端子が第１のＰＣＢ及び第２のＰＣＢの対応するトレースを電気的に接続させる、実施形態２１又は２２に記載の電気コネクタ。
【００５１】
実施形態２４．複数の導電性トレースを備えるブリッジ回路基板を更に備え、導電性トレースの各々は対応する第１端子及び第２端子に対応し、対応する第１端子及び第２端子を電気的に相互接続させる、実施形態２１〜２３のいずれかに記載の電気コネクタ。
【００５２】
実施形態２５．少なくとも１つの壁は間隔を置いた第１の壁及び第２の壁を備え、第１の壁の第１の側面は第１の嵌合スロットに露出し、第１の壁の反対側の第２の側面は第２の壁の第１の側面に面し、第２の壁の反対側の第２の側面は第２の嵌合スロットに面する、実施形態２１〜２４のいずれかに記載の電気コネクタ。
【００５３】
実施形態２６．間隔を置いた可撓性の第１端子の列が第１の壁の第１の側面上に配置され第１の嵌合スロットと連通し、
間隔を置いた可撓性の第２端子の列が第２の壁の第２の側面上に配置され第２の嵌合スロットと連通する、
実施形態２５に記載の電気コネクタ。
【００５４】
実施形態２７．少なくとも壁は単一の壁を備え、単一の壁の第１の側面は第１の嵌合スロットに露出し、単一の壁の反対側の第２の側面は第２の嵌合スロットに露出する、実施形態２１〜２６のいずれかに記載の電気コネクタ。
【００５５】
実施形態２８．間隔を置いた可撓性の第１端子の列が壁の第１の側面上に配置され第１の嵌合スロットと連通し、
間隔を置いた可撓性の第２端子の列が壁の第２の側面上に配置され第２の嵌合スロットと連通する、
実施形態２７に記載の電気コネクタ。
【００５６】
実施形態２９．複数の導電性トレースを備えるブリッジ回路基板を更に備え、導電性トレースの各々は対応する第１端子及び第２端子に対応し、対応する第１端子及び第２端子を電気的に相互接続させる、実施形態２７に記載の電気コネクタ。
【００５７】
実施形態３０．対応する第１端子及び第２端子は、壁内に画定された開口部を通して、互いに向かって弾性的に屈曲し互いに接触することができる、実施形態２７に記載の電気コネクタ。
【００５８】
実施形態３１．実施形態２１〜３０のいずれかに記載の電気コネクタと、
対応する第１の嵌合スロット及び第２の嵌合スロット内に挿入された第１のＰＣＢ及び第２のＰＣＢとを備えるコネクタアセンブリであって、対応する第１端子及び第２端子が第１のＰＣＢ及び第２のＰＣＢの対応するトレースを電気的に接続させる、コネクタアセンブリ。
【００５９】
別途指示のない限り、本明細書及び特許請求の範囲で使用する加工寸法（feature size）、量、及び物理的特性を表す数字は全て、いずれの場合においても「約」という用語によって修飾されているものとして理解すべきである。従って、特にそれに反対する指示のない限り、上記明細書及び添付の特許請求の範囲に記載されている数値パラメータは、本明細書で開示される教示を利用して当業者が得ようとする所望の特性に応じて変動し得る近似値である。端点による数値範囲の使用は、その範囲内の全ての数（例えば、１〜５は、１、１．５、２、２．７５、３、３．８０、４、及び５を含む）、及びその範囲内の任意の範囲を含む。
【００６０】
これら実施形態の様々な修正及び変更が、当業者には明らかとなるものであり、本開示の本範囲は、本明細書に記載されている例示的実施形態に限定されるものではないことを理解されたい。例えば、１つの開示実施形態の特徴は、別途指示のない限り、他の開示実施形態全てにも適用され得ることを、読者は前提とすべきである。
【図１】
2019515475.tif 000003
【図２Ａ】
2019515475.tif 000004
【図２Ｂ】
2019515475.tif 000005
【図３】
2019515475.tif 000006
【図４Ａ】
2019515475.tif 000007
【図４Ｂ】
2019515475.tif 000008
【図４Ｃ】
2019515475.tif 000009
【図５Ａ】
2019515475.tif 000010
【図５Ｂ】
2019515475.tif 000011
【図６Ａ】
2019515475.tif 000012
【図６Ｂ】
2019515475.tif 000013
【国際調査報告】
2019515475.tif 000014
2019515475.tif 000015